(57)【要約】【課題】物体側から順に負正の２群ズームレンズ系において、小型の撮像素子を用いたカメラであっても、７５°以上の十分な画角を持ち、かつ変倍比が３倍程度あり、小型で低コストのズームレンズ系を得る。【解決手段】第１レンズ群が少なくとも２枚の負レンズと２枚の正レンズを有し、次の条件式（１）ないし（３）を満足するズームレンズ系。（１）１．５＜｜ｆ１／ｆｗ｜＜１．８（２）１．０＜ｆ２／（ｆｗ×ｆｔ）1/2＜１．３（３）１．０＜｜ｆ２／ｆ１｜＜１．２但し、  ｆ１：第１レンズ群の焦点距離  ｆ２：第２レンズ群の焦点距離  ｆｗ：短焦点距離端における全系の焦点距離、  ｆｔ：長焦点距離端における全系の焦点距離。【選択図】図１
2006201754.tif 000002
【特許請求の範囲】
【請求項１】
物体側から順に、負の屈折力の第１レンズ群、開閉絞り、及び正の屈折力の第２レンズ群からなり、第１レンズ群と第２レンズ群を移動させてズーミングするズームレンズ系において、
第１レンズ群が少なくとも２枚の負レンズと２枚の正レンズを有し、
次の条件式（１）ないし（３）を満足することを特徴とするズームレンズ系。
（１）１．５＜｜ｆ１／ｆｗ｜＜１．８
（２）１．０＜ｆ２／（ｆｗ×ｆｔ）1/2＜１．３
（３）１．０＜｜ｆ２／ｆ１｜＜１．２
但し、
ｆ１：第１レンズ群の焦点距離
ｆ２：第２レンズ群の焦点距離
ｆｗ：短焦点距離端における全系の焦点距離、
ｆｔ：長焦点距離端における全系の焦点距離。
【請求項２】
請求項１記載のズームレンズ系において、第１レンズ群と開閉絞りとの間にフレアカット絞りを有し、フォーカシング時に、第２レンズ群を固定して、該フレアカット絞りが第１レンズ群と一体に移動するズームレンズ系。
【請求項３】
請求項１または２に記載のズームレンズ系において、第１レンズ群と開閉絞りとの間にフレアカット絞りを有し、該フレアカット絞りはズーミング時に第１レンズ群および開閉絞りに対して独立して移動するズームレンズ系。
【請求項４】
請求項１から３のいずれか１項記載のズームレンズ系において、第１レンズ群は、物体側から順に、正の第１のレンズ、負の第２のレンズ、負の第３のレンズ、及び正の第４のレンズを備えているズームレンズ系。
【請求項５】
請求項４記載のズームレンズ系において、第１レンズ群は、正の第４のレンズの像側に、さらに正または負のレンズを備えているズームレンズ系。
【発明の詳細な説明】
【技術分野】
【０００１】
本発明は、一眼レフ（ＳＬＲ）カメラ用、特にデジタルＳＬＲカメラ用として好適なズ
ームレンズ系に関する。
【背景技術】
【０００２】
現在、２〜３倍程度の変倍比（ズーム比）を持ち、広角域の画角から望遠域の画角をカ
バーするＳＬＲ用ズームレンズ系（いわゆる標準ズームレンズ系）には、物体側から順に
負正のレトロフォーカスタイプの２群ズームレンズ系が多く使用されている。デジタルＳ
ＬＲカメラは、撮像素子の大型化が困難であることから、いわゆるライカ版（３５ミリ版
）銀塩フィルム用ＳＬＲカメラより小さな画面サイズの撮像素子が普及している。従って
同じ焦点距離の交換レンズに対して、デジタルＳＬＲカメラは銀塩ＳＬＲカメラより画角
が狭くなってしまうので、より短い焦点距離の光学系が好まれる。また、既に広く普及し
ている従来の銀塩フィルム用ＳＬＲカメラ用の交換レンズとの互換性を維持しようとレン
ズマウント及びフランジバックを共通とするためには、焦点距離に比して長いバックフォ
ーカスを必要とする。このため、デジタルＳＬＲカメラ用のズームレンズ系は従来の銀塩
ＳＬＲカメラ用よりも広角化が困難な上、撮像素子の面積が小さい割に、パソコン等で拡
大して鑑賞される頻度が多いと考えられるので、画面全域において高い性能が要求される
。
【特許文献１】特開２００２-０８２２８３号公報
【特許文献２】特開平１１-１６０６１９号公報
【特許文献３】特開２００１-３５００８９号公報
【特許文献４】特開平１０-２８２４１７号公報
【発明の開示】
【発明が解決しようとする課題】
【０００３】
しかし、従来の負正の２群タイプのズームレンズ系は、レンズ枚数が多く、小型低コス
ト化が不十分であり、変倍比（ズーム比）も２倍以下であって短焦点距離端における画角
も十分ではない。
【０００４】
本発明は、物体側から順に負正の２群ズームレンズ系であって、小型の撮像素子を用い
たカメラにおいても、各レンズ群の屈折力配置を適切にすることにより、短焦点距離端に
おいて７５゜以上の十分な画角を有し、変倍比が３倍程度で、短焦点距離端での焦点距離
に比してバックフォーカスが長く、短焦点距離端における必要な周辺光量を確保した上で、
短焦点距離端における軸外収差と長焦点距離端側における軸上収差とのバランスが良く、
小型で低コストのズームレンズ系を得ることを目的とする。
【課題を解決するための手段】
【０００５】
本発明は、物体側から順に、負の屈折力の第１レンズ群、絞り、及び正の屈折力の第２
レンズ群からなり、第１レンズ群と第２レンズ群を移動させてズーミングするズームレン
ズ系において、第１レンズ群が少なくとも２枚の負レンズと２枚の正レンズを有し、次の
条件式（１）ないし（３）を満足することを特徴としている。
（１）１．５＜｜ｆ１／ｆｗ｜＜１．８
（２）１．０＜ｆ２／（ｆｗ×ｆｔ）1/2＜１．３
（３）１．０＜｜ｆ２／ｆ１｜＜１．２
但し、
ｆ１：第１レンズ群の焦点距離
ｆ２：第２レンズ群の焦点距離
ｆｗ：短焦点距離端における全系の焦点距離、
ｆｔ：長焦点距離端における全系の焦点距離、
である。
【０００６】
本発明のズームレンズ系では、第１レンズ群と絞りとの間にフレアカット絞りを配し、
フォーカス時には第２レンズ群を固定して、このフレアカット絞りを第１レンズ群と一体
に移動させることが好ましい。
【０００７】
また、本発明のズームレンズ系では、第１レンズ群と絞りとの間に配するフレアカット
絞りが、ズーミング時には、第１レンズ群および開閉絞りに対して独立して移動すること
が好ましい。
【０００８】
第１レンズ群は、その好ましい一態様では、物体側から順に、正の第１のレンズ、負の
第２のレンズ、負の第３のレンズ、及び正の第４のレンズを備えている。この第１レンズ
群には、正の第４のレンズの像側に、さらにパワーの弱い正または負のレンズを配置する
ことが好ましい。
【発明の効果】
【０００９】
本発明によれば、負正の２群ズームレンズ系において、小型の撮像素子を用いたカメラ
であっても、７５°以上の十分な画角を持ち、かつ変倍比が３倍程度あり、小型で低コス
トのズームレンズ系を得ることができる。
【発明を実施するための最良の形態】
【００１０】
本実施形態のズームレンズ系は、図２１の簡易移動図に示すように、物体側から順に、
負の屈折力の第１レンズ群１０、開閉絞りＳ、及び正の屈折力の第２レンズ群２０からな
り、短焦点距離端（Ｗ）から長焦点距離端（Ｔ）へのズーミングに際し、第１レンズ群１
０は一旦像側に移動してからＵターンして物体側に移動し、第２レンズ群２０は物体側に
単調に移動する。開閉絞りＳは、第２レンズ群２０と一緒に移動する。フォーカシングは
第１レンズ群１０で行う。そして、フォーカシング時は、第２レンズ群２０は移動不能と
される。開閉絞りＳとは別に、開閉絞りＳの前方で第１レンズ群１０の後方には、フレア
カット絞りＦＣ１が設けられており、第２レンズ群２０の後方にはフレアカット絞りＦＣ２が設けられている。フレアカット絞りＦＣ１は、一旦像側に移動してからＵターンして物体側に移動し、フレアカット絞りＦＣ２は、固定または物体側に単調に移動する。図２１の鎖線は、フレアカット絞りＦＣ２が物体側に単調に移動する場合の軌跡である。なお、フレアカット絞りＦＣ１は、第１レンズ群１０および開閉絞りＳに接触しない限り、一旦像側に移動することなく物体側に移動しても良い。
【００１１】
本実施形態のズームレンズ系は、第１レンズ群１０が、少なくとも２枚の正レンズと２
枚の負レンズを含む。２枚の正レンズと２枚の負レンズを含むことにより、３倍程度の変
倍比を確保しながら、諸収差を良好に補正することができる。特に物体側から順に、正の
第１のレンズ、負の第２のレンズ、負の第３のレンズ及び正の第４のレンズを有すること
が好ましい。第１レンズ群は、正の第４のレンズを配置することにより、主にディストー
ションを良好に補正することができる。正の第４のレンズの後方には、パワーの弱いレン
ズ（正負を問わない）を配置すると、より良好に諸収差を補正することができる。
【００１２】
条件式（１）は、バックフォーカスを確保した上で収差補正するための条件である。こ
の条件を満足することにより、バックフォーカスを確保するだけでなく、レンズ系を小型
化しても収差を良好に補正することができる。条件式（１）の上限を超えると、第１レン
ズ群のパワーが不十分になり、歪曲収差の補正が困難となる。条件式（１）の下限を超え
て第１レンズ群のパワーが強くなると、バックフォーカスの確保は有利になるが、コマ収
差、非点収差の発生が大きくなり、良好な性能を得るために必要なレンズ数が増えてしま
う。このため、コストが高くなり、大型化を招く。
【００１３】
条件式（２）は、変倍作用を主に担う第２レンズ群のパワーを規定している。条件式（
２）の上限を超えると、第２レンズ群のパワーが弱く、変倍作用が不足する。したがって
、所定の変倍比を得るためには、第２レンズ群の移動量を大きくする必要が生じ、第１レ
ンズ群のレンズ枚数を減らさなければならない。そうすると、第１レンズ群による軸外収
差の補正が困難となる。条件式（２）の下限を超えると、第２レンズ群のパワーが強すぎ
るため、変倍による球面収差、コマ収差の変動が大きく、十分な光学性能を達成すること
が困難となる。
【００１４】
条件式（３）は、第１レンズ群と第２レンズ群の屈折力のバランスを規定している。負
正２群ズームレンズ系において、軸上光束は、第１レンズ群中に比べて第２レンズ群中の
方が光線高さが高く、球面収差は第２レンズ群中の方が発生しやすい。本ズームレンズ系
では、第２レンズ群のパワーを第１レンズ群のパワーよりも若干弱くすることによって、
第１レンズ群で発生する収差（特に球面収差）と第２レンズ群で発生する収差とが打ち消
しあうようにバランスをとっている。
【００１５】
条件式（３）の上限を超えると、第１レンズ群のパワーが第２レンズ群と同等あるいは
第２レンズ群より大きくなり、第１レンズ群で発生する収差（特に球面収差）を第２レンズ群で打ち消すことが困難になる。条件式（３）の下限を超えると、第２レンズ群のパワーが第１レンズ群に比して強くなりすぎ、第２レンズ群で発生する収差（特に球面収差）を第１レンズ群で打ち消すことが困難になる。
【００１６】
本ズームレンズ系では、第２レンズ群の物体側に、短焦点距離端における軸外光束を制
限するフレアカット絞りＦＣ１を配置している。このように第２レンズ群の物体側にフレ
アカット絞りＦＣ１を配置すると、短焦点距離端における軸外収差の補正が容易となる。
また第１レンズ群をフォーカシングレンズとしても、フォーカシングによる周辺光量の低
下が少なくなる。また、第１レンズ群の小径化にも有利である。
【００１７】
このフレアカット絞りＦＣ１は、フォーカス時にフォーカスレンズ群である第１レンズ
群と一緒に移動する。このようにフレアカット絞りＦＣ１を配置すると、近距離フォーカ
ス時に必要な周辺光量を確保しながら不要な光線を有効に除外することができる。また、
フレアカット絞りＦＣ１は、短焦点距離端において、対角光線および中間高像の光線を除
外して周辺光量の低下を緩和する目的で、第１レンズ群および第２レンズ群の中間位置付
近に配置される。このように配置すると、フレアカット絞りＦＣ１は、ズーミング時に、
第１レンズ群および第２レンズ群に衝突する可能性があるので、これらに対して独立して
移動する。
【００１８】
フレアカット絞りＦＣ２は、第２レンズ群の後方（像面側）に配置されている。このよ
うに、フレアカット絞りＦＣ２を配置すると、長焦点距離側の不要な軸外光線を有効に除
外することができる。
【００１９】
第１レンズ群中には、非球面を配置することが好ましい。非球面を配置することにより、特に短焦点距離端における歪曲収差、非点収差を良好に補正することができる。
【００２０】
次に具体的な実施例を示す。諸収差図及び表中、ＳＡは球面収差、ＳＣは正弦条件、球面収差で表される色収差（軸上色収差）図及び倍率色収差図中のｄ線、ｇ線、Ｃ線はそれぞれの波長に対する収差、Ｓはサジタル、Ｍはメリディオナル、Ｗは半画角（゜）、FNO.
はＦナンバー、ｆは全系の焦点距離、fBはバックフォーカス、ｒは曲率半径、ｄはレンズ
厚またはレンズ間隔、Ｎd はｄ線の屈折率、νはアッベ数を示す。
【００２１】
また、回転対称非球面は次式で定義される。
x=cy2/[1+[1-(1+K)c2y2]1/2]+A4y4+A6y6+A8y8+A10y10+A12y12・・・
（但し、cは曲率（１／ｒ）、ｙは光軸からの高さ、Ｋは円錐係数、Ａ４、Ａ６、Ａ８
、・・・・・は各次数の非球面係数）
【実施例１】
【００２２】
図１ないし図４と表１は本発明によるズームレンズ系の実施例１を示している。図１は
短焦点距離端におけるレンズ構成図、図２はその諸収差図、図３は長焦点距離端における
レンズ構成図、図４はその諸収差図、表１はその数値データである。
【００２３】
負の第１レンズ群１０は、物体側から順に、正の第１のレンズ１１、負の第２のレンズ
１２、負の第３のレンズ１３、正の第４のレンズ１４、及び負レンズ１５からなり、正の
第２レンズ群２０は、物体側から順に、正レンズ２１と、正レンズ２２、負レンズ２３、
及び正レンズ２４からなっている。開閉絞りＳは、第１１面（第２レンズ群２０）の極か
ら前方0.60にあり、ズーミングに際して第２レンズ群２０と一体で移動する。フレアカッ
ト絞りＦＣ１は、短焦点距離端および長焦点距離端において第１０面（第１レンズ群１０
）の極から後方16.23および1.07にあり、光軸からの高さが9.0である。フレアカット絞り
ＦＣ２は、短焦点距離端および長焦点距離端において第１８面（第２レンズ群２０）の極から後方0.42および11.45にあり、光軸からの高さが7.3であり、ズーミング時に移動する。
（表１）
FNO. =  1: 3.5-5.8
f    =  18.50-53.30 
W    =  38.7-15.0 
fB   =  37.42-74.16
面NO.    ｒ          ｄ            Ｎd       ν
1     509.738      3.06         1.62004    36.3 
2    -509.738      0.10            -        - 
3      47.626      1.20         1.71300    53.9 
4      16.299      7.36            -        - 
5      57.087      1.00         1.69680    55.5
6      18.500      3.63            -        - 
7      39.626      4.04         1.69895    30.1 
8    -497.937      0.20            -        -
9      71.551      1.90         1.52538    56.3 
10*    58.318     38.83-2.63       -        - 
11     36.551      2.15         1.58913    61.2 
12   -167.832      0.10            -        -
13     22.262      6.27         1.51633    64.1 
14   -238.944      1.78            -        -
15    -38.429      6.00         1.67270    32.1 
16     18.321      0.80            -        -
17     36.503      5.30         1.51742    52.4 
18    -21.620        -             -        - 
*は回転対称非球面。
非球面データ（表示していない非球面係数は0.00である。）：
面NO      Ｋ            Ａ４             Ａ６            Ａ８
10       0.00       -0.27724×10-4    -0.40939×10-8  -0.84597×10-9
Ａ１０          Ａ１２
0.48128×10-11  -0.13019×10-13
【実施例２】
【００２４】
図５ないし図８と表２は本発明によるズームレンズ系の実施例２を示している。図５は
短焦点距離端におけるレンズ構成図、図６はその諸収差図、図７は長焦点距離端における
レンズ構成図、図８はその諸収差図、表２はその数値データである。基本的なレンズ構成
は実施例１と同様である。開閉絞りＳは、第１１面（第２レンズ群２０）の極から前方0.
60にある。フレアカット絞りＦＣ１は、短焦点距離端および長焦点距離端において第１０
面（第１レンズ群１０）の極から後方19.34および1.00にあり、光軸からの高さが8.0である。フレアカット絞りＦＣ２は、焦点距離端および長焦点距離端において第１８面（第２レンズ群２０）の極から後方0.63および37.34にあり、光軸からの高さが9.0であり、ズーミング時に移動しない（固定である）。
（表２）
FNO. =   1: 3.5-5.8 
f    =   18.50-53.30
W    =   38.7-15.0
fB   =   37.63-74.34
面NO.    ｒ          ｄ            Ｎd       ν
1     444.292       3.06        1.69895    30.1 
2    -444.292       0.10           -        - 
3      42.708       1.20        1.80400    46.6 
4      15.736       8.17           -        - 
5    3776.523       1.00        1.69680    55.5 
6      22.220       1.84           -        - 
7      31.745       5.22        1.66680    33.0 
8    -140.405       0.20           -        - 
9      64.463       1.90        1.52538    56.3 
10*    62.546      39.43-2.60      -        - 
11     54.135       2.49        1.58913    61.2 
12    -87.008       0.10           -        - 
13     18.098       3.40        1.51633    64.1 
14    304.893       3.19           -        - 
15    -48.503       5.90        1.67270    32.1 
16     17.164       1.15           -        - 
17     37.978       5.30        1.51742    52.4 
18    -22.940         -            -        -
*は回転対称非球面。
非球面データ（表示していない非球面係数は0.00である。）：
面NO      Ｋ            Ａ４            Ａ６              Ａ８
10       0.00       -0.20822×10-4    0.19203×10-7    -0.94078×10-9
Ａ１０          Ａ１２
0.56152×10-11  -0.13718×10-13
【実施例３】
【００２５】
図９ないし図１２と表３は本発明によるズームレンズ系の実施例３を示している。図９
は短焦点距離端におけるレンズ構成図、図１０はその諸収差図、図１１は長焦点距離端に
おけるレンズ構成図、図１２はその諸収差図、表３はその数値データである。
【００２６】
負の第１レンズ群１０は、物体側から順に、正の第１のレンズ１１、負の第２のレンズ
１２、負の第３のレンズ１３、正の第４のレンズ１４、及び正レンズ１５からなり、正の
第２レンズ群２０は、物体側から順に、正レンズ２１と、正レンズ２２、負レンズ２３、
及び正レンズ２４からなっている。開閉絞りＳは、第１１面（第２レンズ群２０）の極か
ら前方0.60にある。フレアカット絞りＦＣ１は、短焦点距離端および長焦点距離端におい
て第１０面（第１レンズ群１０）の極から後方20.67および2.59にあり、光軸からの高さ
が7.7である。フレアカット絞りＦＣ２は、短焦点距離端および長焦点距離端において第
１８面（第２レンズ群２０）の極から後方0.00、11.04にあり、光軸からの高さが7.2であ
り、ズーミング時に移動する。
（表３）
FNO. =  1: 3.4-5.8
f    =  18.60-53.00 
W    =  38.6-15.1 
fB   =  37.40-74.18
面NO.    ｒ          ｄ            Ｎd       ν
1     417.869       3.06        1.64769    33.8 
2    -417.869       0.30           -        - 
3      52.769       1.20        1.71300    53.9 
4      16.014       6.10           -        - 
5      40.377       1.00        1.78964    44.6 
6      17.579       3.48           -        - 
7      33.220       3.68        1.80094    25.5 
8     129.960       0.20           -        - 
9      58.685       1.90        1.52538    56.3 
10*    58.914      41.03-6.40      -        - 
11     33.947       2.31        1.60311    60.7 
12   -150.945       0.28           -        - 
13     20.221       4.58        1.53005    65.2 
14   3654.436       1.53           -        - 
15    -54.618       6.00        1.67270    32.1 
16     16.779       1.13           -        - 
17     44.964       5.30        1.51742    52.4 
18    -25.303        -             -        -
*は回転対称非球面。
非球面データ（表示していない非球面係数は0.00である。）：
面NO      Ｋ            Ａ４              Ａ６            Ａ８
10       0.00        -0.29175×10-4    -0.36407×10-7  -0.70866×10-9
Ａ１０          Ａ１２
0.55257×10-11  -0.19195×10-13
【実施例４】
【００２７】
図１３ないし図１６と表４は本発明によるズームレンズ系の実施例４を示している。図
１３は短焦点距離端におけるレンズ構成図、図１４はその諸収差図、図１５は長焦点距離
端におけるレンズ構成図、図１６はその諸収差図、表４はその数値データである。
【００２８】
基本的なレンズ構成は実施例３と同様である。開閉絞りＳは、第１１面（第２レンズ群
２０）の極から前方0.60にある。フレアカット絞りＦＣ１は、短焦点距離端および長焦点
距離端において第１０面（第１レンズ群１０）の極から後方20.00および0.45にあり、光
軸からの高さが7.5である。フレアカット絞りＦＣ２は、短焦点距離端および長焦点距離
端において第１８面（第２レンズ群２０）の極から後方0.42および38.01にあり、光軸からの高さが9.0であり、ズーミング時に移動しない（固定である）。
（表４）
FNO. =  1: 3.5-5.8
f    =  18.50-53.30 
W    =  38.7-15.0 
fB   =  37.42-75.01
面NO.    ｒ          ｄ            Ｎd       ν
1     407.941       3.06        1.69895    30.1 
2    -407.941       0.10           -        - 
3      48.376       1.20        1.78590    44.2 
4      16.417       8.72           -        - 
5    1198.213       1.00        1.69680    55.5 
6      21.285       2.09           -        - 
7      32.387       4.97        1.67270    32.1 
8    -159.850       0.20           -        - 
9      67.012       1.90        1.52538    56.3 
10*    69.759      39.60-2.60      -         -
11     53.885       3.38        1.58913    61.2 
12    -90.697       1.33           -        - 
13     18.647       4.68        1.51633    64.1 
14   3977.679       2.34           -        - 
15    -50.466       6.00        1.67270    32.1 
16     17.241       1.05           -        - 
17     37.628       5.27        1.51742    52.4 
18    -24.635        -             -        -
*は回転対称非球面。
非球面データ（表示していない非球面係数は0.00である。）：
面NO      Ｋ             Ａ４            Ａ６               Ａ８
10       0.00        -0.21102×10-4    0.27400×10-7     -0.92284×10-9
Ａ１０           Ａ１２
0.52448×10-11  -0.12658×10-13
【実施例５】
【００２９】
図１７ないし図２０と表５は本発明によるズームレンズ系の実施例５を示している。図
１７は短焦点距離端におけるレンズ構成図、図１８はその諸収差図、図１９は長焦点距離
端におけるレンズ構成図、図２０はその諸収差図、表５はその数値データである。基本的
なレンズ構成は実施例１と同様である。開閉絞りＳは、第１１面（第２レンズ群２０）の
極から前方0.60にある。フレアカット絞りＦＣ１は、短焦点距離端および長焦点距離端に
おいて第１０面（第１レンズ群１０）の極から後方20.91および1.75にあり、光軸からの
高さが7.6である。フレアカット絞りＦＣ２は、短焦点距離端および長焦点距離端におい
て第１８面（第２レンズ群２０）の極から後方0.40および37.24にあり、光軸からの高さ
が9.0であり、ズーミング時に移動しない（固定である）。
（表５）
FNO. =  1:  3.4-5.8 
f    =  18.50-53.30 
W    =  38.7-15.0 
fB   =  37.40-74.24
面NO.    ｒ          ｄ            Ｎd       ν
1     312.109      3.01         1.69895    30.1 
2    -312.109      0.10            -        - 
3      64.488      1.20         1.80610    40.9 
4      18.469      5.94            -        - 
5      62.964      1.00         1.69680    55.5 
6      19.094      4.46            -        - 
7      31.531      4.47         1.69895    30.1 
8     944.830      0.20            -        - 
9      94.199      1.80         1.52538    56.3 
10*    53.793     41.51-4.59       -        - 
11     42.430      2.06         1.58913    61.2 
12   -128.075      0.54            -        - 
13     21.280      6.75         1.51633    64.1 
14   -190.813      1.63            -        - 
15    -41.497      6.00         1.67270    32.1 
16     18.552      0.83            -        - 
17     42.120      4.37         1.51742    52.4 
18    -23.252       -              -        -
*は回転対称非球面。
非球面データ（表示していない非球面係数は0.00である。）：
面NO      Ｋ             Ａ４             Ａ６              Ａ８
10       0.00        -0.16052×10-4    -0.27457×10-7     0.20213×10-10
Ａ１０           Ａ１２
-0.34272×10-12  0.21019×10-15
各実施例の各条件式に対する値を表６に示す。
（表６）
実施例１    実施例２    実施例３    実施例４      実施例５
条件式（１）   1.68        1.70        1.64        1.68          1.70
条件式（２）   1.05        1.06        1.04        1.07          1.06
条件式（３）   1.06        1.06        1.07        1.08          1.06
表６から明らかなように、実施例１ないし５は条件式（１）〜（３）を満足しており、
また諸収差図から明らかなように諸収差も比較的よく補正されている。
【図面の簡単な説明】
【００３０】
【図１】本発明によるズームレンズ系の実施例１の短焦点距離端におけるレンズ構成図である。
【図２】図１の構成における諸収差図である。
【図３】同実施例１の長焦点距離端におけるレンズ構成図である。
【図４】図３の構成における諸収差図である。
【図５】本発明によるズームレンズ系の実施例２の短焦点距離端におけるレンズ構成図である。
【図６】図５の構成における諸収差図である。
【図７】同実施例２の長焦点距離端におけるレンズ構成図である。
【図８】図７の構成における諸収差図である。
【図９】本発明によるズームレンズ系の実施例３の短焦点距離端におけるレンズ構成図である。
【図１０】図９の構成における諸収差図である。
【図１１】同実施例３の長焦点距離端におけるレンズ構成図である。
【図１２】図１１の構成における諸収差図である。
【図１３】本発明によるズームレンズ系の実施例４の短焦点距離端におけるレンズ構成図である。
【図１４】図１３の構成における諸収差図である。
【図１５】同実施例４の長焦点距離端におけるレンズ構成図である。
【図１６】図１５の構成における諸収差図である。
【図１７】本発明によるズームレンズ系の実施例５の短焦点距離端におけるレンズ構成図である。
【図１８】図１７の構成における諸収差図である。
【図１９】同実施例５の長焦点距離端におけるレンズ構成図である。
【図２０】図１９の構成における諸収差図である。
【図２１】本発明によるズームレンズ系の簡易移動図である。
【図１】
2006201754.tif 000003
【図２】
2006201754.tif 000004
【図３】
2006201754.tif 000005
【図４】
2006201754.tif 000006
【図５】
2006201754.tif 000007
【図６】
2006201754.tif 000008
【図７】
2006201754.tif 000009
【図８】
2006201754.tif 000010
【図９】
2006201754.tif 000011
【図１０】
2006201754.tif 000012
【図１１】
2006201754.tif 000013
【図１２】
2006201754.tif 000014
【図１３】
2006201754.tif 000015
【図１４】
2006201754.tif 000016
【図１５】
2006201754.tif 000017
【図１６】
2006201754.tif 000018
【図１７】
2006201754.tif 000019
【図１８】
2006201754.tif 000020
【図１９】
2006201754.tif 000021
【図２０】
2006201754.tif 000022
【図２１】
2006201754.tif 000023